(57)【特許請求の範囲】
【請求項１】
周回状に形成されたランド及び／又はグルーブが記録トラックとされ、当該記録トラックがウォブル信号に応じた形状に蛇行形成されているディスク状記録媒体において、
上記ウォブル信号には、
所定周波数の第１の正弦波信号とこの第１の正弦波信号の周波数とは異なる周波数の第２の正弦波信号とによってＭＳＫ変調された第１のデジタル情報と、
正弦波のキャリア信号に対して偶数次の高調波信号を付加し、当該高調波信号の極性を変化させることによって変調（ＨＭＷ変調）された第２のデジタル情報とが含まれている
ことを特徴とするディスク状記録媒体。
【請求項２】
上記ＭＳＫ変調で用いられる第１の正弦波信号の周波数は、上記ＨＭＷ変調で用いられるキャリア信号の周波数と同一である
ことを特徴とする請求項１記載のディスク状記録媒体。
【請求項３】
第１のデジタル情報及び／又は第２のデジタル情報には、少なくとも上記記録トラックのアドレス情報が含まれている
ことを特徴とする請求項２記載のディスク状記録媒体。
【請求項４】
上記アドレス情報は、上記キャリア信号の所定周期分から構成されたアドレスユニット単位で記録され、
上記アドレスユニット内の異なる位置に、ＭＳＫ変調された上記第１のアドレス情報とＨＭＷ変調された上記第２のアドレス情報とが記録されている
ことを特徴とする請求項３記載のディスク状記録媒体。
【請求項５】
ＭＳＫ変調された上記第１のアドレス情報とＨＭＷ変調された上記第２のアドレス情報との間には、上記キャリア信号が少なくとも１周期以上記録されている
ことを特徴とする請求項４記載のディスク状記録媒体。
【請求項６】
ＭＳＫ変調された上記第１のアドレス情報とＨＭＷ変調された上記第２のアドレス情報とは、同一の情報である
ことを特徴とする請求項４記載のディスク状記録媒体。
【請求項７】
スパイラル状に形成されたグルーブが記録トラックとされている
ことを特徴とする請求項１記載のディスク状記録媒体。
【請求項８】
上記第１のデジタル情報と上記第２のデジタル情報には、同一内容の情報が含まれている
ことを特徴とする請求項１記載のディスク状記録媒体。
【請求項９】
上記第１のデジタル情報は、
符号長が上記第１の正弦波信号の周期の２倍以上の整数倍とされた被変調データを、上記第１の正弦波信号の周期で差動符号化し、差動符号化することより生成された符号長が上記第１の正弦波信号の１周期とされた差動符号化データを生成し、
上記差動符号化データの符号に応じて上記第１の正弦波信号と第２の正弦波信号が選択されて、変調されている
ことを特徴とする請求項１記載のディスク状記録媒体。
【請求項１０】
上記第２の正弦波信号の周波数は、第１の正弦波信号の周波数の３／２倍である
ことを特徴とする請求項１記載のディスク状記録媒体。
【請求項１１】
上記第１のデジタル情報は、上記第１の正弦波信号が所定周期連続して構成されるビットブロック内に、所定の符号パターンの被変調データをＭＳＫ変調して得られるＭＳＫ変調マークを挿入し、当該ビットブロック内における上記ＭＳＫ変調マークの挿入位置によって、符号が表されている
ことを特徴とする請求項１記載のディスク状記録媒体。
【請求項１２】
上記ビットブロックの先頭には、所定の符号パターンの被変調データをＭＳＫ変調したビット同期マークが挿入されている
ことを特徴とする請求項１１記載のディスク状記録媒体。
【請求項１３】
上記第１のデジタル情報は、連続した複数の上記ビットブロックにより１つの情報ユニットが構成され、１つの情報ユニット内の各ビットブロックが表している符号を合成することによって、データ内容が表されている
ことを特徴とする請求項１２記載のディスク状記録媒体。
【請求項１４】
上記情報ユニットの先頭の１以上のビットブロックは、所定の符号パターンの被変調データをＭＳＫ変調して得られるＭＳＫ変調マークの挿入パターンが、他のビットブロックとユニークな挿入パターンとされている
ことを特徴とする請求項１３記載のディスク状記録媒体。
【請求項１５】
上記第２のデジタル情報は、正弦波のキャリア信号に対して、−１２ｄＢの高調波信号を付加することにより、ＨＭＷ変調されている
ことを特徴とする請求項１記載のディスク状記録媒体。
【請求項１６】
上記第２のデジタル情報は、正弦波のキャリア信号に対して、当該キャリア信号の２次高調波信号を付加することにより、ＨＭＷ変調されている
ことを特徴とする請求項１記載のディスク状記録媒体。
【請求項１７】
周回状に形成されたランド及び／又はグルーブが記録トラックとされ、当該記録トラックがウォブル信号に応じた形状に蛇行形成されているディスク状記録媒体において、
上記ウォブル信号には、所定のデータ単位であるアドレスユニットが形成され、当該アドレスユニット内に少なくとも記録トラックのアドレスが含まれたアドレス情報が記述され、
上記アドレスユニットは、上記アドレス情報を構成するビットを表すビットブロックを１以上含んで構成され、
上記ビットブロックは、正弦波のキャリア信号が所定周期連続した波形の中に、上記キャリア信号とこのキャリア信号の周波数とは異なる周波数の正弦波信号とによってＭＳＫ変調された第１のビット列と、上記キャリア信号に対して偶数次の高調波信号を付加し、当該高調波信号の極性を変化させることによって変調（ＨＭＷ変調）された第２のビット列とが挿入されて構成されている
ことを特徴とするディスク状記録媒体。
【請求項１８】
上記第１のビット列と上記第２のビット列とは、ビットブロック内の異なる位置に挿入されている
ことを特徴とする請求項１７記載のディスク状記録媒体。
【請求項１９】
上記第１のビット列と上記第２のビット列との間には、上記キャリア信号が少なくとも１周期以上ある
ことを特徴とする請求項１８記載のディスク状記録媒体。
【請求項２０】
上記ビットブロックの先頭には、所定の符号パターンの被変調データをＭＳＫ変調したビット同期マークが挿入されている
ことを特徴とする請求項１７記載のディスク状記録媒体。
【請求項２１】
上記アドレスユニットは、正弦波のキャリア信号が所定周期連続した波形の中に、所定の符号パターンの被変調データをＭＳＫ変調して得られるＭＳＫ変調マークが挿入され、このＭＳＫ変調マークの挿入パターンがユニークな挿入パターンとされたシンクブロックが少なくとも１以上含んで構成されている
ことを特徴とする請求項１７記載のディスク状記録媒体。
【請求項２２】
上記シンクブロックは、アドレスユニットの先頭部分に挿入されている
ことを特徴とする請求項２１記載のディスク状記録媒体。
【請求項２３】
ＭＳＫ変調の際に用いられる正弦波信号の周波数は、キャリア信号の周波数の周波数の３／２倍である
ことを特徴とする請求項１７記載のディスク状記録媒体。
【請求項２４】
ＨＭＷ変調の際に用いられる高調波信号は、キャリア信号に対して−１２ｄＢの振幅とされた２次高調波信号である
ことを特徴とする請求項１７記載のディスク状記録媒体。
【請求項２５】
上記第１のビット列は、所定の符号パターンの被変調データをＭＳＫ変調して得られるＭＳＫ変調マークを挿入し、上記ビットブロック内における上記ＭＳＫ変調マークの挿入位置によって、表されている
ことを特徴とする請求項１７記載のディスク状記録媒体。
【請求項２６】
上記第１のビットは、
符号長が上記キャリア信号の周期の２倍とされた被変調データを、上記キャリア信号の周期で差動符号化し、差動符号化することより生成された符号長が上記キャリア信号の１周期とされた差動符号化データを生成し、
上記差動符号化データの符号に応じて周波数が選択されて、変調されている
ことを特徴とする請求項１７記載のディスク状記録媒体。
【請求項２７】
周回状に形成されたランド及び／又はグルーブが記録トラックとされ、当該記録トラックがウォブル信号に応じた形状に蛇行形成されているディスク状記録媒体に対して記録及び／又は再生をするディスクドライブ装置において、
上記ディスク状記録媒体から上記ウォブル信号を再生し、当該ウォブル信号に含まれているデジタル情報を復調するウォブル情報復調手段を備え、
上記ウォブル情報復調手段は、
所定周波数の第１の正弦波信号と第１の正弦波信号の周波数と異なる周波数の正弦波信号とによってＭＳＫ変調された第１のデジタル情報を復調する第１の復調部と、
正弦波のキャリア信号に対して偶数次の高調波信号を付加し、当該高調波信号の極性を変化させることによって変調（ＨＭＷ変調）された第２のデジタル情報を復調する第２の復調部とを有している
ことを特徴とするディスクドライブ装置。
【請求項２８】
上記ディスク状記録媒体に対する記録又は再生位置を制御する制御手段を有し、上記ウォブル情報復調手段は、第１のデジタル情報及び／又は第２のデジタル情報に含まれている上記記録トラックのアドレス情報を復調し、上記制御手段は、上記アドレス情報に基づき上記ディスク状記録媒体に対する記録又は再生位置を制御する
ことを特徴とする請求項２７記載のディスクドライブ装置。
【請求項２９】
ディスク状記録媒体の原盤の主面に対して周回状のランド及び／又はグルーブを形成するディスク製造装置において、
所定周波数の第１の正弦波信号と第１の正弦波信号の周波数と異なる周波数の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれているウォブル信号に応じて、上記ランド及び／又はグルーブを蛇行形成するランド及び／又はグルーブ形成手段を備える
ことを特徴とするディスク製造装置。
【請求項３０】
ディスク状記録媒体の原盤の主面に対して周回状のランド及び／又はグルーブを形成するディスク製造方法において、
所定周波数の第１の正弦波信号と第１の正弦波信号の周波数と異なる周波数の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれているウォブル信号に応じて蛇行形成した上記ランド及び／又はグルーブを形成する
ことを特徴とするディスク製造方法。
【発明の詳細な説明】
【０００１】
【発明の属する技術分野】
本発明は、周回状に形成されたランド及び／又はグルーブが記録トラックとされ、当該記録トラックがウォブル信号に応じた形状に蛇行形成されているディスク状記録媒体、このディスク状記録媒体に対してデータの記録及び／又は再生を行うディスクドライブ装置、このディスク状記録媒体を生成するディスク製造装置及び方法に関するものである。
【０００２】
【従来の技術】
従来より、周回状のプリグルーブと呼ばれるガイド溝が形成されている光ディスクが知られている。このようなプリグルーブを形成した場合、グルーブ又はランド（グルーブに挟まれた領域）のいずれか一方、或いは、グルーブ及びランドの両者が記録トラックとなる。このプリグルーブが光ディスクに形成されていることにより、記録再生を行うディスクドライブ側では、レーザの反射光から記録トラックの両エッジの成分を検出し、レーザが両エッジの中心に照射されるようにサーボ制御を行うことができる。
【０００３】
また、従来より、キャリア信号をＦＭ変調やＰＳＫ変調したウォブル信号に応じて、プリグルーブを蛇行させた光ディスクが知られている。ウォブル信号の変調成分には、このウォブル信号が記録された位置における記録トラックの物理アドレス情報等が含まれている。このため、記録再生を行うディスクドライブ側では、例えば記録トラックの両エッジの変動成分を示す信号（いわゆるプッシュプル信号）からウォブル信号を検出し、このウォブル信号に含まれているアドレス情報を復調して、記録や再生位置のアドレス制御を行うことができる。
【０００４】
【発明が解決しようとする課題】
しかしながら、このようなキャリア信号をＦＭ変調したウォブル信号にアドレス情報等を挿入する方式の場合、隣接トラックのクロストーク成分によってアドレス再生特性が悪化するという課題があった。また、キャリア信号をＰＳＫ変調してウォブル信号にアドレス情報等を挿入する方式の場合、位相変化点における高調波成分が再生信号に重畳して再生特性が悪化するという課題があった。また、さらに、ＰＳＫ変調の場合、高調波成分が含まれてしまうため、ウォブル信号の復調回路の回路構成が複雑化してしまうという課題があった。
【０００５】
【課題を解決するための手段】
本発明は、このような実情を鑑みてなされたものであり、アドレス等の情報を効率よくウォブル成分に含め、さらに、ウォブル成分に含めた情報を再生する際のＳ／Ｎを向上させたディスク状記録媒体、このディスク状記録媒体に対してデータの記録及び／又は再生をするディスクドライブ装置、並びに、このディスク状記録媒体を製造するディスク製造装置及び方法を提供することを目的とする。
【０００６】
本発明にかかるディスク状記録媒体は、周回状に形成されたランド及び／又はグルーブが記録トラックとされ、当該記録トラックがウォブル信号に応じた形状に蛇行形成されているディスク状記録媒体であって、上記ウォブル信号には、所定周波数の第１の正弦波信号とこの第１の正弦波信号の周波数とは異なる周波数の第２の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれていることを特徴とする。
【０００７】
本発明にかかるディスク状記録媒体は、周回状に形成されたランド及び／又はグルーブが記録トラックとされ、当該記録トラックがウォブル信号に応じた形状に蛇行形成されているディスク状記録媒体であって、上記ウォブル信号には、所定のデータ単位であるアドレスユニットが形成され、当該アドレスユニット内に少なくとも記録トラックのアドレスが含まれたアドレス情報が記述され、上記アドレスユニットは、上記アドレス情報を構成するビットを表すビットブロックを１以上含んで構成され、上記ビットブロックは、正弦波のキャリア信号が所定周期連続した波形の中に、上記キャリア信号とこのキャリア信号の周波数とは異なる周波数の正弦波信号とによってＭＳＫ変調された第１のビット列と、上記キャリア信号に対して偶数次の高調波信号を付加し、当該高調波信号の極性を変化させることによって変調（ＨＭＷ変調）された第２のビット列とが挿入されて構成されていることを特徴とする。
【０００８】
本発明にかかるディスクドライブ装置は、周回状に形成されたランド及び／又はグルーブが記録トラックとされ、当該記録トラックがウォブル信号に応じた形状に蛇行形成されているディスク状記録媒体に対して記録及び／又は再生をするディスクドライブ装置であって、上記ディスク状記録媒体から上記ウォブル信号を再生し、当該ウォブル信号に含まれているデジタル情報を復調するウォブル情報復調手段を備え、上記ウォブル情報復調手段は、所定周波数の第１の正弦波信号と第１の正弦波信号の周波数と異なる周波数の正弦波信号とによってＭＳＫ変調された第１のデジタル情報を復調する第１の復調部と、正弦波のキャリア信号に対して偶数次の高調波信号を付加し、当該高調波信号の極性を変化させることによって変調（ＨＭＷ変調）された第２のデジタル情報を復調する第２の復調部とを有していることを特徴とする。
【０００９】
本発明にかかるディスク製造装置は、ディスク状記録媒体の原盤の主面に対して周回状のランド及び／又はグルーブを形成するディスク製造装置であって、所定周波数の第１の正弦波信号と第１の正弦波信号の周波数と異なる周波数の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれているウォブル信号に応じて、上記ランド及び／又はグルーブを蛇行形成するランド及び／又はグルーブ形成手段を備えることを特徴とする。
【００１０】
本発明にかかるディスク製造方法は、ディスク状記録媒体の原盤の主面に対して周回状のランド及び／又はグルーブを形成するディスク製造方法であって、所定周波数の第１の正弦波信号と第１の正弦波信号の周波数と異なる周波数の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれているウォブル信号に応じて蛇行形成した上記ランド及び／又はグルーブを形成することを特徴とする。
【００１１】
【発明の実施の形態】
以下、本発明の実施の形態の光ディスクのウォブリング方式、この光ディスクに対してデータを記録再生する光ディスクドライブ、並びに、この光ディスクを製造する光ディスク製造方法について説明をする。
【００１２】
１．光ディスクのウォブリング方式
１−１  ウォブリング方式の全体説明
本発明の実施の形態の光ディスク１は、図１に示すように、記録トラックとなるグルーブＧＶが形成されている。このグルーブＧＶは、内周側から外周側へスパイラル状に形成されている。そのため、この光ディスク１の半径方向の切断面を見ると、図２に示すように、凸状のランドＬと、凹状のグルーブＧＶとが交互に形成されることとなる。
【００１３】
光ディスク１のグルーブＧＶは、図２に示すように、接線方向に対して蛇行形成されている。このグルーブＧＶの蛇行形状は、ウォブル信号に応じた形状となっている。そのため、光ディスクドライブでは、グルーブＧＶに照射したレーザスポットＬＳの反射光からそのグルーブＧＶの両エッジ位置を検出し、レーザスポットＬＳを記録トラックに沿って移動させていった際におけるその両エッジ位置のディスク半径方向に対する変動成分を抽出することにより、ウォブル信号を再生することができる。
【００１４】
このウォブル信号には、その記録位置における記録トラックのアドレス情報（物理アドレスやその他の付加情報等）が変調されている。そのため、光ディスクドライブでは、このウォブル信号からアドレス情報等を復調することによって、データの記録や再生の際のアドレス制御等を行うことができる。
【００１５】
なお、本発明の実施の形態では、グルーブ記録がされる光ディスクについて説明をするが、本発明はこのようなグルーブ記録の光ディスクに限らず、ランドにデータを記録するランド記録を行う光ディスクに適用することも可能であるし、また、グルーブ及びランドにデータを記録するランドグルーブ記録の光ディスクにも適用することも可能である。
【００１６】
ここで、本実施の形態の光ディスク１では、２つの変調方式を用いて、ウォブル信号に対してアドレス情報を変調している。一つは、ＭＳＫ（Minimum Shift Keying）変調方式である。もう一つは、正弦波のキャリア信号に対して偶数次の高調波信号を付加し、被変調データの符号に応じて当該高調波信号の極性を変化させることによって変調する方式である。以下、正弦波のキャリア信号に対して偶数次の高調波信号を付加し、被変調データの符号に応じて当該高調波信号の極性を変化させることによって変調する変調方式のことを、ＨＭＷ（HarMonic Wave）変調と呼ぶものとする。
【００１７】
本実施の形態の光ディスク１では、図３に示すように、所定周波数の正弦波の基準キャリア信号波形が所定周期連続したブロックを構成し、このブロック内に、ＭＳＫ変調されたアドレス情報が挿入されるＭＳＫ変調部と、ＨＭＷ変調されたアドレス情報が挿入されるＨＭＷ変調部とを設けたウォブル信号を生成する。すなわち、ＭＳＫ変調されたアドレス情報と、ＨＭＷ変調されたアドレス情報とを、ブロック内の異なる位置に挿入している。さらに、ＭＳＫ変調で用いられる２つの正弦波のキャリア信号のうちの一方のキャリア信号と、ＨＭＷ変調のキャリア信号とを、上記の基準キャリア信号としている。また、ＭＳＫ変調部とＨＭＷ変調部とは、それぞれブロック内の異なる位置に配置するものとし、ＭＳＫ変調部とＨＭＷ変調部との間には、１周期以上の基準キャリア信号が配置されるものとしている。
【００１８】
なお、なんらデータの変調がされておらず、基準キャリア信号の周波数成分だけが現れる部分を、以下モノトーンウォブルと呼ぶ。また、以下では、基準キャリア信号として用いる正弦波信号は、Ｃｏｓ(ωｔ)であるものとする。また、基準キャリア信号の１周期を１ウォブル周期と呼ぶ。また、基準キャリア信号の周波数は、光ディスク１の内周から外周まで一定であり、レーザスポットが記録トラックに沿って移動する際の線速度との関係に応じて定まる。
【００１９】
以下、ＭＳＫ変調及びＨＭＷ変調の変調方法についてさらに詳細に説明をする。
【００２０】
１−２  ＭＳＫ変調
まず、ＭＳＫ変調方式を用いたアドレス情報の変調方式について説明をする。
【００２１】
ＭＳＫ変調は、位相が連続したＦＳＫ（Frequency Shift Keying）変調のうちの変調指数が０．５のものである。ＦＳＫ変調は、周波数ｆ１と周波数ｆ２の２つのキャリア信号に対して、被変調データの符号の“０”，“１”をそれぞれ対応させて変調する方式である。つまり、被変調データが“０”であれば周波数ｆ１の正弦波波形を出力し、被変調データが“１”であれば周波数ｆ２の正弦波波形を出力する変調方式である。さらに、位相が連続したＦＳＫ変調の場合には、被変調データの符号の切り換えタイミングにおいて、２つのキャリア信号の位相が連続する。
【００２２】
このＦＳＫ変調では、変調指数ｍというものが定義される。この変調指数ｍは、
ｍ＝｜ｆ１−ｆ２｜Ｔ
で定義される。ここで、Ｔは、被変調データの伝送速度（１／最短の符号長の時間）である。このｍが０．５の場合の位相連続ＦＳＫ変調のことを、ＭＳＫ変調という。
【００２３】
本光ディスク１では、ＭＳＫ変調される被変調データの最短の符号長Ｌは、図４（Ａ）及び図４（Ｂ）に示すように、ウォブル周期の２周期分としている。なお、被変調データの最短符号長Ｌは、ウォブル周期の２倍以上で且つ整数倍の周期であれば、どのような長さであっても良い。また、ＭＳＫ変調に用いられる２つの周波数は、一方を基準キャリア信号と同一の周波数とし、他方を基準キャリア信号の１．５倍の周波数とする。すなわち、ＭＳＫ変調に用いられる信号波形は、一方がＣｏｓ(ωｔ)又は−Ｃｏｓ(ωｔ)となり、他方がＣｏｓ(１．５ωｔ)又は−Ｃｏｓ(１．５ωｔ)となる。
【００２４】
本光ディスク１のウォブル信号にＭＳＫ変調方式で被変調データを挿入する場合、まず、図４（Ｃ）に示すように、被変調データのデータストリームに対して、ウォブル周期に対応するクロック単位で差動符号化処理をする。すなわち、被変調データのストリームと、基準キャリア信号の１周期分遅延させた遅延データとを差分演算する。この差動符号化処理をしたデータを、プリコードデータとする。
【００２５】
続いて、このプリコードデータをＭＳＫ変調して、ＭＳＫストリームを生成する。このＭＳＫストリームの信号波形は、図４（Ｄ）に示すように、プリコードデータが“０”のときには基準キャリアと同一の周波数の波形（Ｃｏｓ(ωｔ)）又はその反転波形（−Ｃｏｓ(ωｔ)）となり、プリコードデータが“１”のときには基準キャリアの１．５倍の周波数の波形（Ｃｏｓ(１．５ωｔ)）又はその反転波形（−Ｃｏｓ(１．５ωｔ)）となる。従って、例えば、被変調データのデータ列が、図４（Ｂ）に示すように“０１０”というパターンである場合には、ＭＳＫストリームの信号波形は、図４（Ｅ）に示すように、１ウォブル周期毎に、Cos(wt),Cos(wt),Cos(1.5wt),-Cos(wt),-Cos(1.5wt),Cos(wt)といった波形となる。
【００２６】
本光ディスク１では、ウォブル信号を以上のようなＭＳＫストリームとすることによって、ウォブル信号にアドレス情報を変調している。
【００２７】
ここで、被変調データを差動符号化して上述のようなＭＳＫ変調した場合には、被変調データの同期検波が可能となる。このように同期検波ができるのは以下のような理由による。
【００２８】
差動符号化データ（プリコードデータ）は、被変調データの符号変化点でビットが立つ（“１”となる）。被変調データの符号長がウォブル周期の２倍以上とされているので、被変調データの符号長の後半部分には、必ず基準キャリア信号（Ｃｏｓ(ωｔ)）又はその反転信号（−Ｃｏｓ(ωｔ)）が挿入されることとなる。プリコードデータのビットが“１”となると、基準キャリア信号に対して１．５倍の周波数の波形が挿入され、さらに、符号の切り換え点においては位相を合わせて波形が接続される。従って、被変調データの符号長の後半部分に挿入される信号波形は、被変調データが“０”であれば、必ず基準キャリア信号波形（Ｃｏｓ(ωｔ)）となり、被変調データが“１”であれば必ずその反転信号波形（−Ｃｏｓ(ωｔ)）となる。同期検波出力は、キャリア信号に対して位相が合っていれば、プラス側の値になり、位相が反転していればマイナス側の値となるので、以上のようなＭＳＫ変調した信号を基準キャリア信号により同期検波すれば、被変調データの復調が可能となる。
【００２９】
なお、ＭＳＫ変調では、符号の切り換え位置において位相を合わせて変調がされるので、同期検波信号のレベルが反転するまでには遅延が生じる。そのため、以上のようなＭＳＫ変調された信号を復調する場合には、例えば、同期検波出力の積算ウィンドウを、１／２ウォブル周期遅延させることによって、正確な検出出力を得ることができる。
【００３０】
図５に、以上のようなＭＳＫストリームから、被変調データを復調するＭＳＫ復調回路を示す。
【００３１】
ＭＳＫ復調回路１０は、図５に示すように、ＰＬＬ回路１１と、タイミングジェネレータ（ＴＧ）１２と、乗算器１３と、積算器１４と、サンプル／ホールド（ＳＨ）回路１５と、スライス回路１６とを備えている。
【００３２】
ＰＬＬ回路１１には、ウォブル信号（ＭＳＫ変調されたストリーム）が入力される。ＰＬＬ回路１１は、入力されたウォブル信号からエッジ成分を検出して、基準キャリア信号（Ｃｏｓ(ωｔ)）に同期したウォブルクロックを生成する。生成されたウォブルクロックは、タイミングジェネレータ１２に供給される。
【００３３】
タイミングジェネレータ１２は、入力されたウォブル信号に同期した基準キャリア信号（Ｃｏｓ(ωｔ)）を生成する。また、タイミングジェネレータ１２は、ウォブルクロックから、クリア信号（CLR）及びホールド信号（HOLD）を生成する。クリア信号（CLR）は、ウォブル周期の２周期が最小符号長となる被変調データのデータクロックの開始エッジから、１／２ウォブル周期遅延したタイミングで発生される信号である。また、ホールド信号（HOLD）は、被変調データのデータクロックの終了エッジから、１／２ウォブル周期遅延したタイミングで発生される信号である。タイミングジェネレータ１２により生成された基準キャリア信号（Ｃｏｓ(ωｔ)）は、乗算器１３に供給される。生成されたクリア信号（CLR）は、積算器１４に供給される。生成されたホールド信号（HOLD）は、サンプル／ホールド回路１５に供給される。
【００３４】
乗算器１３は、入力されたウォブル信号と、基準キャリア信号（Ｃｏｓ(ωｔ)）とを乗算して、同期検波処理を行う。同期検波された出力信号は、積算器１４に供給される。
【００３５】
積算器１４は、乗算器１３により同期検波された信号に対して積算処理を行う。なお、この積算器１４は、タイミングジェネレータ１２により生成されたクリア信号（CLR）の発生タイミングで、その積算値を０にクリアする。
【００３６】
サンプル／ホールド回路１５は、タイミングジェネレータ１２により生成されたホールド信号（HOLD）の発生タイミングで、積算器１４の積算出力値をサンプルして、次のホールド信号（HOLD）が発生するまで、サンプルした値をホールドする。
【００３７】
スライス回路１６は、サンプル／ホールド回路１５によりホールドされている値を、原点（０）を閾値として２値化し、その値の符号を反転して出力する。
【００３８】
そして、このスライス回路１６からの出力信号が、復調された被変調データとなる。
【００３９】
図６及び図７に、“０１００”というデータ列の被変調データに対して上述のＭＳＫ変調をして生成されたウォブル信号（ＭＳＫストリーム）と、このウォブル信号が上記ＭＳＫ復調回路１０に入力された場合の各回路からの出力信号波形を示す。なお、図６及び図７の横軸（ｎ）は、ウォブル周期の周期番号を示している。図６は、入力されたウォブル信号（ＭＳＫストリーム）と、このウォブル信号の同期検波出力信号（ＭＳＫ×Ｃｏｓ(ωｔ)）を示している。また、図７は、同期検波出力信号の積算出力値、この積算出力値のホールド値、並びに、スライス回路１６から出力される復調された被変調データを示している。なお、スライス回路１６から出力される復調された被変調データが遅延しているのは、積算器１４の処理遅延のためである。
【００４０】
以上のように、被変調データを差動符号化して上述のようなＭＳＫ変調した場合には、被変調データの同期検波が可能となる。
【００４１】
本光ディスク１では、以上のようにＭＳＫ変調したアドレス情報をウォブル信号に含めている。このようにアドレス情報をＭＳＫ変調してウォブル信号に含めることによって、ウォブル信号に含まれる高周波成分が少なくなる。従って、正確なアドレス検出を行うことが可能となる。また、このＭＳＫ変調されたアドレス情報は、モノトーンウォブル内に挿入されるので、隣接トラックに与えるクロストークを少なくすることができ、Ｓ／Ｎを向上させることができる。また、本光ディスク１では、ＭＳＫ変調をしたデータを同期検波して復調することができるので、ウォブル信号の復調を正確且つ簡易に行うことが可能となる。
【００４２】
１−３  ＨＭＷ変調
つぎに、ＨＭＷ変調方式を用いたアドレス情報の変調方式について説明をする。
【００４３】
ＨＭＷ変調は、上述のように正弦波のキャリア信号に対して偶数次の高調波信号を付加し、当該高調波信号の極性を被変調データの符号に応じて変化させることによってデジタル符号を変調する変調方式である。
【００４４】
本光ディスク１では、ＨＭＷ変調のキャリア信号は、上記ＭＳＫ変調のキャリア信号である基準キャリア信号（Ｃｏｓ(ωｔ)）と同一周波数及び位相の信号としている。付加する偶数次の高調波信号は、基準キャリア信号（Ｃｏｓ(ωｔ)）の２次高調波であるＳｉｎ(２ωｔ)、−Ｓｉｎ(２ωｔ)等のＳｉｎ波だけでありＣｏｓ(２ωｔ)、−Ｃｏｓ(２ωｔ)等のＣｏｓ波は含まないものとし、その振幅は、基準キャリア信号の振幅に対して−１２ｄＢの振幅としている。被変調データの最小符号長は、ウォブル周期（基準キャリア信号の周期）の２倍としている。
【００４５】
そして、被変調データの符号が“１”のときにはＳｉｎ(２ωｔ)をキャリア信号に付加し、“０”のときには−Ｓｉｎ(２ωｔ)をキャリア信号に付加して変調を行うものとする。
【００４６】
以上のような方式でウォブル信号を変調した場合の信号波形を図８に示す。図８（Ａ）は、基準キャリア信号（Ｃｏｓ(ωｔ)）の信号波形を示している。図８（Ｂ）は、基準キャリア信号（Ｃｏｓ(ωｔ)）に対してＳｉｎ(２ωｔ)が付加された信号波形、即ち、被変調データが“１”のときの信号波形を示している。図８（Ｃ）は、基準キャリア信号（Ｃｏｓ(ωｔ)）に対して−Ｓｉｎ(２ωｔ)が付加された信号波形、即ち、被変調データが“０”のときの信号波形を示している。
【００４７】
なお、本光ディスク１では、キャリア信号に加える高調波信号を２次高調波としているが、２次高調波に限らず、偶数次の高調波であればどのような信号を加算してもよい。また、本光ディスク１では、２次高調波のみを加算しているが、２次高調波（Ｓｉｎ（２ωｔ）、−Ｓｉｎ（２ωｔ））と４次高調波（ｓｉｎ（４ωｔ）、−ｓｉｎ（４ωｔ））との両者を同時に加算するといったように複数の高調波信号を同時に加算しても良い。ただし、Ｃｏｓ（４ｗｔ）、−Ｃｏｓ（４ｗｔ）等の高調波のｃｏｓ波は含まない。
【００４８】
ここで、このように基準キャリア信号に対して正負の偶数次の高調波信号を付加した場合には、その生成波形の特性から、この高調波信号により同期検波して、被変調データの符号長時間その同期検波出力を積分することによって、被変調データを復調することが可能である。
【００４９】
図９に、以上のようなＨＭＷ変調がされたウォブル信号から、被変調データを復調するＨＭＷ復調回路を示す。
【００５０】
ＨＭＷ復調回路２０は、図９に示すように、ＰＬＬ回路２１と、タイミングジェネレータ（ＴＧ）２２と、乗算器２３と、積算器２４と、サンプル／ホールド（ＳＨ）回路２５と、スライス回路２６とを備えている。
【００５１】
ＰＬＬ回路２１には、ウォブル信号（ＨＭＷ変調されたストリーム）が入力される。ＰＬＬ回路２１は、入力されたウォブル信号からエッジ成分を検出して、基準キャリア信号（Ｃｏｓ(ωｔ)）に同期したウォブルクロックを生成する。生成されたウォブルクロックは、タイミングジェネレータ２２に供給される。
【００５２】
タイミングジェネレータ２２は、入力されたウォブル信号に同期した２次高調波信号（Ｓｉｎ(２ωｔ)）を生成する。また、タイミングジェネレータ２２は、ウォブルクロックから、クリア信号（CLR）及びホールド信号（HOLD）を生成する。クリア信号（CLR）は、ウォブル周期の２周期が最小符号長となる被変調データのデータクロックの開始エッジのタイミングで発生される信号である。また、ホールド信号（HOLD）は、被変調データのデータクロックの終了エッジのタイミングで発生される信号である。タイミングジェネレータ２２により生成された２次高調波信号（Ｓｉｎ(２ωｔ)）は、乗算器２３に供給される。生成されたクリア信号（CLR）は、積算器２４に供給される。生成されたホールド信号（HOLD）は、サンプル／ホールド回路２５に供給される。
【００５３】
乗算器２３は、入力されたウォブル信号と、２次高調波信号（Ｓｉｎ(２ωｔ)）とを乗算して、同期検波処理を行う。同期検波された出力信号は、積算器２４に供給される。
【００５４】
積算器２４は、乗算器２３により同期検波された信号に対して積算処理を行う。なお、この積算器２４は、タイミングジェネレータ２２により生成されたクリア信号（CLR）の発生タイミングで、その積算値を０にクリアする。
【００５５】
サンプル／ホールド回路２５は、タイミングジェネレータ２２により生成されたホールド信号（HOLD）の発生タイミングで、積算器２４の積算出力値をサンプルして、次のホールド信号（HOLD）が発生するまで、サンプルした値をホールドする。
【００５６】
スライス回路２６は、サンプル／ホールド回路２５によりホールドされている値を、原点（０）を閾値として２値化し、その値の符号を出力する。
【００５７】
そして、このスライス回路２６からの出力信号が、復調された被変調データとなる。
【００５８】
図１０、図１１及び図１２に、“１０１０”というデータ列の被変調データに対して上述のＨＭＷ変調をする際に用いられる信号波形と、ＨＭＷ変調して生成されたウォブル信号と、このウォブル信号が上記ＨＭＷ復調回路２０に入力された場合の各回路からの出力信号波形を示す。なお、図１０〜図１２の横軸（ｎ）は、ウォブル周期の周期番号を示している。図１０は、基準キャリア信号（Ｃｏｓ(ωｔ)）と、“１０１０”というデータ列の被変調データと、この被変調データに応じて生成された２次高調波信号波形（±Ｓｉｎ(２ωｔ)，−１２ｄＢ）を示している。図１１は、生成されたウォブル信号（ＨＭＷストリーム）を示している。図１２（Ａ）は、このウォブル信号の同期検波出力信号（ＨＭＷ×Ｓｉｎ(２ωｔ)）を示している。図１２（Ｂ）は、同期検波出力信号の積算出力値、この積算出力値のホールド値、並びに、スライス回路２６から出力される復調された被変調データを示している。なお、スライス回路２６から出力される復調された被変調データが遅延しているのは、積算器２４の１次遅延のためである。
【００５９】
以上のように、被変調データを上述のようなＨＭＷ変調した場合には、被変調データの同期検波が可能となる。
【００６０】
本光ディスク１では、以上のようにＨＭＷ変調したアドレス情報をウォブル信号に含めている。このようにアドレス情報をＨＭＷ変調してウォブル信号に含めることによって、周波数成分を限定することができ、高周波成分を少なくすることができる。そのため、ウォブル信号の復調出力のＳ／Ｎを向上させることができ、正確なアドレス検出を行うことが可能となる。また、変調回路も、キャリア信号の発生回路と、その高調波成分の発生回路、これらの出力信号の加算回路で構成することができ、非常に簡単となる。また、ウォブル信号の高周波成分が少なくなるため、光ディスク成型時のカッティングも容易になる。
【００６１】
さらに、このＨＭＷ変調されたアドレス情報は、モノトーンウォブル内に挿入されるので、隣接トラックに与えるクロストークを少なくすることができ、Ｓ／Ｎを向上させることができる。また、本光ディスク１では、ＨＭＷ変調をしたデータを同期検波して復調することができるので、ウォブル信号の復調を正確且つ簡易に行うことが可能となる。
【００６２】
１−４  まとめ
以上のように、本実施の形態の光ディスク１では、ウォブル信号に対するアドレス情報の変調方式として、ＭＳＫ変調方式とＨＭＷ変調方式とを採用している。そして、本光ディスク１では、ＭＳＫ変調方式で用いられる一方の周波数と、ＨＭＷ変調で用いられるキャリア周波数とを同一の周波数の正弦波信号（Ｃｏｓ(ωｔ)）としている。また、さらに、ウォブル信号内に、なんらデータが変調されていない上記のキャリア信号（Ｃｏｓ(ωｔ)）のみが含まれているモノトーンウォブルを、各変調信号の間に設けている。
【００６３】
以上のような本光ディスク１では、ＭＳＫ変調で用いられる周波数の信号と、ＨＭＷ変調で用いる高調波信号とは互いに干渉をしない関係にあるので、それぞれの検出の際に相手の変調成分に影響されない。そのため、２つの変調方式で記録されたそれぞれのアドレス情報を、確実に検出することが可能となる。従って、光ディスクの記録再生時におけるトラック位置の制御等の精度を向上させることができる。
【００６４】
また、ＭＳＫ変調で記録するアドレス情報とＨＭＷ変調で記録するアドレス情報とを同一のデータ内容とすれば、より確実にアドレス情報を検出することが可能となる。
【００６５】
また、本光ディスク１では、ＭＳＫ変調方式で用いられる一方の周波数と、ＨＭＷ変調で用いられるキャリア周波数とを同一の周波数の正弦波信号（Ｃｏｓ(ωｔ)）とし、さらに、ＭＳＫ変調とＨＭＷ変調とをウォブル信号内の異なる部分に行っているので、変調時には、例えば、ＭＳＫ変調した後のウォブル信号に対して、ＨＭＷ変調するウォブル位置に高調波信号を加算すればよく、非常に簡単に２つの変調を行うことが可能となる。また、ＭＳＫ変調とＨＭＷ変調とをウォブル信号内の異なる部分に行い、さらに、両者の間に少なくなくとも１周期のモノトーンウォブルを含めることによって、より正確にディスク製造をすることができ、また、確実にアドレスの復調を行うことができる。
【００６６】
２  ＤＶＲへの適用例
つぎに、いわゆるＤＶＲ（Data & Video Recording）と呼ばれる高密度光ディスクに対する上記のアドレスフォーマットの適用例について説明する。
【００６７】
２−１  ＤＶＲディスクの物理特性
まず、本アドレスフォーマットが適用されるＤＶＲディスクの物理パラメータの一例について説明する。なお、この物理パラメータは一例であり、以下説明を行うウォブルフォーマットを他の物理特性の光ディスクに適用することも可能である。
【００６８】
本例のＤＶＲディスクは、相変化方式でデータの記録を行う光ディスクである。ディスクサイズは、直径が１２０ｍｍである。ディスク厚は１．２ｍｍである。
【００６９】
ディスク上の領域は、内周側からリードインエリア、プログラムエリア、リードアウトエリアが配される。これらのエリアで構成されるインフォメーションエリアは、直径位置で４４ｍｍから１１７ｍｍの範囲に形成される。
【００７０】
記録／再生のためのレーザ波長は、４０５ｎｍのいわゆる青色レーザが用いられる。レンズのＮＡは０．８５である。トラックピッチは０．３０μｍ、チャンネルビット長は０．０８６μｍ、データビット長は０．１３μｍである。ユーザーデータの平均転送レートは３５Ｍｂｉｔ／ｓｅｃである。
【００７１】
ユーザーデータ容量は、２２．４６Ｇバイトとなる。
【００７２】
データ記録は、グルーブ記録方式である。つまりディスク上には予めグルーブによるトラックが形成され、このグルーブに対して記録が行われる。そして、このグルーブにウォブルが施されて、本ディスクのアドレス情報が記録される。
【００７３】
２−２  記録再生データのフォーマット
本例のＤＶＲディスクの相変化データのエラー訂正ブロック（ＥＣＣブロック）は、図１３に示すように、６４ｋバイト（３０４バイト×２４８バイト）である。このＥＣＣブロックは、１シンボルが１バイトとされた３０４行×２１６列のデータと、３０４行×３２列のパリティとから構成されている。パリティは、３０４行×２１６列のデータの列方向に対するＬＤＣ（２４８，２１６，３３）のポインタレジャー訂正符号化により、生成される。
【００７４】
なお、本例のＤＶＲディスクは、相変化データの記録再生単位を２ｋバイトとすることも可能である。この場合には、上記の６４ｋバイトのエラー訂正ブロックで記録再生を行い、そのなかから所望の２ｋバイトに対してデータの書き換えを行う。
【００７５】
本例のＤＶＲディスクの記録再生単位は、ＥＣＣブロックを図１４に示すような１５６シンボル×４９６フレームのＥＣＣブロッククラスタとし、このＥＣＣブロッククラスタの前後に１フレームのＰＬＬ等のためのリンクエリアを付加して生成された合計４９８フレームの記録再生クラスタとなる。この記録再生クラスタを、ＲＵＢ（Recording Unit Block）と呼ぶ。
【００７６】
各ＥＣＣブロッククラスタの各フレームは、３８バイト単位に分割されたデータシンボルと、各データシンボル群の間に挿入されたＳｙｎｃコード又はＢＩＳ（Burst Indicator Subcode）とで構成されている。具体的に各フレームは、先頭から、Ｓｙｎｃコード、データシンボル（３８バイト）、ＢＩＳ、データシンボル（３８バイト）、ＢＩＳ、データシンボル（３８バイト）、ＢＩＳ、データシンボル（３８バイト）といった順序で構成されている。ＢＩＳ及びＳｙｎｃコードは、データ再生時にバーストエラーの識別用に用いることができる。すなわち、連続したＳｙｎｃ及びＢＩＳがシンボルエラーとなっている場合には、そのエラーが生じているＳｙｎｃ及びＢＩＳに挟まれている３８バイトのデータシンボルもバーストエラーとみなして、ポインタレジャー訂正を行う。
【００７７】
２−３  アドレスフォーマット
２−３−１  記録再生データとアドレスの関係
本アドレスフォーマットでは、図１５に示すように、１つのＲＵＢ（498フレーム）を、ウォブルとして記録された３つのアドレスユニット（ＡＤＩＰ_１，ＡＤＩＰ_２，ＡＤＩＰ_３）により管理する。すなわち、この３つのアドレスユニットに対して、１つのＲＵＢを記録する。
【００７８】
本アドレスフォーマットでは、１つのアドレスユニットを、８ビットのシンクパートと７５ビットのデータパートとの合計８３ビットで構成する。本アドレスフォーマットでは、プリグルーブに記録するウォブル信号の基準キャリア信号を、コサイン信号（Ｃｏｓ(ωｔ)）とし、ウォブル信号の１ビットを、図１６に示すように、この基準キャリア信号の５６周期分で構成する。従って、基準キャリア信号の１周期（１ウォブル周期）の長さが、相変化の１チャネル長の６９倍となる。１ビットを構成する基準キャリア信号の５６周期分を、以下、ビットブロックと呼ぶ。
【００７９】
２−３−２  シンクパート
図１７に、アドレスユニット内のシンクパートのビット構成を示す。シンクパートは、アドレスユニットの先頭を識別するための部分であり、第１から第４の４つのシンクブロック（sync block "1",sync block "2",sync block "3",sync block "4"）から構成される。各シンクブロックは、モノトーンビットと、シンクビットとの２つのビットブロックから構成される。
【００８０】
モノトーンビットの信号波形は、図１８（Ａ）に示すように、５６ウォブルから構成されるビットブロックの１〜３ウォブル目がビット同期マークBMとなっており、ビット同期マークBM以後の４〜５６ウォブル目までがモノトーンウォブル（基準キャリア信号（Ｃｏｓ(ωｔ)）の信号波形）となっている。
【００８１】
ビット同期マークBMは、ビットブロックの先頭を識別するための所定の符号パターンの被変調データをＭＳＫ変調して生成した信号波形である。すなわち、このビット同期マークBMは、所定の符号パターンの被変調データを差動符号化し、その差動符号化データの符号に応じて周波数を割り当てて生成した信号波形である。なお、被変調データの最小符号長Ｌは、ウォブル周期の２周期分である。本例では、１ビット分（２ウォブル周期分）“１”とされた被変調データをＭＳＫ変調して得られる信号波形が、ビット同期マークBMとして記録されている。つまり、このビット同期マークBMは、ウォブル周期単位で、“Ｃｏｓ(１．５ωｔ)，−Ｃｏｓ(ωｔ)，−Ｃｏｓ(１．５ωｔ)”と連続する信号波形となる。
【００８２】
従って、モノトーンビットは、図１８（Ｂ）に示すように、“１００００・・・・００”というような被変調データ（符号長が２ウォブル周期）を生成し、これをＭＳＫ変調すれば生成することができる。
【００８３】
なお、このビット同期マークBMは、シンクパートのモノトーンビットのみならず、以下に説明する全てのビットブロックの先頭に挿入されている。従って、記録再生時において、このビット同期マークBMを検出して同期をかけることにより、ウォブル信号内のビットブロックの同期（すなわち、５６ウォブル周期の同期）を取ることができる。また、さらに、このビット同期マークBMは、以下に説明する各種変調信号のビットブロック内の挿入位置を特定するための基準とすることができる。
【００８４】
第１のシンクブロックのシンクビット（sync"0"bit）の信号波形は、図１９（Ａ）に示すように、５６ウォブルから構成されるビットブロックの１〜３ウォブル目がビット同期マークBMとなっており、１７〜１９ウォブル目及び２７〜２９ウォブル目がＭＳＫ変調マークMMとなっており、残りのウォブルの波形が全てモノトーンウォブルとなっている。
【００８５】
第２のシンクブロックのシンクビット（sync"1"bit）の信号波形は、図２０（Ａ）に示すように、５６ウォブルから構成されるビットブロックの１〜３ウォブル目がビット同期マークBMとなっており、１９〜２１ウォブル目及び２９〜３１ウォブル目がＭＳＫ変調マークMMとなっており、残りのウォブルの波形が全てモノトーンウォブルとなっている。
【００８６】
第３のシンクブロックのシンクビット（sync"2"bit）の信号波形は、図２１（Ａ）に示すように、５６ウォブルから構成されるビットブロックの１〜３ウォブル目がビット同期マークBMとなっており、２１〜２３ウォブル目及び３１〜３３ウォブル目がＭＳＫ変調マークMMとなっており、残りのウォブルの波形が全てモノトーンウォブルとなっている。
【００８７】
第４のシンクブロックのシンクビット（sync"3"bit）の信号波形は、図２２（Ａ）に示すように、５６ウォブルから構成されるビットブロックの１〜３ウォブル目がビット同期マークBMとなっており、２３〜２５ウォブル目及び３３〜３５ウォブル目がＭＳＫ変調マークMMとなっており、残りのウォブルの波形が全てモノトーンウォブルとなっている。
【００８８】
ＭＳＫ同期マークは、ビット同期マークBMと同様に、所定の符号パターンの被変調データをＭＳＫ変調して生成した信号波形である。すなわち、このＭＳＫ同期マークは、所定の符号パターンの被変調データを差動符号化し、その差動符号化データの符号に応じて周波数を割り当てて生成した信号波形である。なお、被変調データの最小符号長Ｌは、ウォブル周期の２周期分である。本例では、１ビット分（２ウォブル周期分）“１”とされた被変調データをＭＳＫ変調して得られる信号波形が、ＭＳＫ同期マークとして記録されている。つまり、このＭＳＫ同期マークは、ウォブル周期単位で、“Ｃｏｓ(１．５ωｔ)，−Ｃｏｓ(ωｔ)，−Ｃｏｓ(１．５ωｔ)”と連続する信号波形となる。
【００８９】
従って、第１のシンクブロックのシンクビット（sync"0"bit）は、図１９（Ｂ）に示すようなデータストリーム（符号長が２ウォブル周期）を生成し、これをＭＳＫ変調すれば生成することができる。同様に、第２の第２のシンクブロックのシンクビット（sync"1"bit）は図２０（Ｂ）に示すようなデータストリーム、第３のシンクブロックのシンクビット（sync"2"bit）は図２１（Ｂ）に示すようなデータストリーム、第４のシンクブロックのシンクビット（sync"2"bit）は図２２（Ｂ）に示すようなデータストリームをそれぞれ生成し、これらをＭＳＫ変調すれば生成することができる。
【００９０】
なお、シンクビットは、２つのＭＳＫ変調マークMMのビットブロックに対する挿入パターンが、他のビットブロックのＭＳＫ変調マークMMの挿入パターンとユニークとされている。そのため、記録再生時には、ウォブル信号をＭＳＫ復調して、ビットブロック内におけるＭＳＫ変調マークMMの挿入パターンを判断し、４つのシンクビットのうち少なくとも１つのシンクビットを識別することにより、アドレスユニットの同期を取ることができ、以下に説明するデータパートの復調及び復号を行うことができる。
【００９１】
２−３−３  データパート
図２３に、アドレスユニット内のデータパートのビット構成を示す。データパートは、アドレス情報の実データが格納されている部分であり、第１から第１５の１５つのＡＤＩＰブロック（ADIP block"1"〜ADIP block"15"）から構成される。各ＡＤＩＰブロックは、１つのモノトーンビットと４つのＡＤＩＰビットとから構成される。
【００９２】
モノトーンビットの信号波形は、図１８に示したものと同様である。
【００９３】
ＡＤＩＰビットは、実データの１ビットを表しており、その符号内容で信号波形が変わる。
【００９４】
ＡＤＩＰビットが表す符号内容が“１”である場合には、図２４（Ａ）に示すように、５６ウォブルから構成されるビットブロックの１〜３ウォブル目がビット同期マークBMとなり、１３〜１５ウォブル目がＭＳＫ変調マークMMとなり、１９〜５５ウォブル目が基準キャリア信号（Ｃｏｓ(ωｔ)）にＳｉｎ(２ωｔ)が加算されたＨＭＷ“１”の変調部となり、残りのウォブルの波形が全てモノトーンウォブルとなっている。すなわち、符号内容が“１”を表すＡＤＩＰビットは、図２４（Ｂ）に示すように“１０００００１００・・・・００”というような被変調データ（符号長が２ウォブル周期）を生成してこれをＭＳＫ変調するとともに、図２４（Ｃ）に示すようにＭＳＫ変調した後の信号波形の１９〜５５ウォブル目に振幅が−１２ｄＢのＳｉｎ(２ωｔ)を加算すれば、生成することができる。
【００９５】
ＡＤＩＰビットが表す符号内容が“０”である場合には、図２５（Ａ）に示すように、５６ウォブルから構成されるビットブロックの１〜３ウォブル目がビット同期マークBMとなり、１５〜１７ウォブル目がＭＳＫ変調マークMMとなり、１９〜５５ウォブル目が基準キャリア信号（Ｃｏｓ(ωｔ)）に−Ｓｉｎ(２ωｔ)が加算されたＨＭＷ“０”の変調部となり、残りのウォブルの波形が全てモノトーンウォブルとなっている。すなわち、符号内容が“０”を表すＡＤＩＰビットは、図２５（Ｂ）に示すように“１００００００１０・・・・００”というような被変調データ（符号長が２ウォブル周期）を生成してこれをＭＳＫ変調するとともに、図２５（Ｃ）に示すようにＭＳＫ変調した後の信号波形の１９〜５５ウォブル目に振幅が−１２ｄＢの−Ｓｉｎ(２ωｔ)を加算すれば、生成することができる。
【００９６】
以上のようにＡＤＩＰビットは、ＭＳＫ変調マークMMの挿入位置に応じて、そのビット内容が区別されている。つまり、１３〜１５ウォブル目にＭＳＫ変調マークMMが挿入されていればビット“１”を表し、１５〜１７ウォブル目にＭＳＫ変調マークMMが挿入されていればビット“０”を表している。また、さらにＡＤＩＰビットは、ＭＳＫ変調マークMMの挿入位置で表したビット内容と同一のビット内容を、ＨＭＷ変調で表している。従って、このＡＤＩＰビットは、異なる２つの変調方式で同一のビット内容を表すこととなるので、確実にデータのデコードを行うことができる。
【００９７】
以上のようなシンクパートとデータパートを合成して表したアドレスユニットのフォーマットを図２６に示す。
【００９８】
本光ディスク１のアドレスフォーマットは、この図２６に示すように、ビット同期マークBMと、ＭＳＫ変調マークMMと、ＨＭＷ変調部とが、１つのアドレスユニット内に離散的に配置されている。そして、各変調信号部分の間は、少なくとも１ウォブル周期以上のモノトーンウォブルが配置されている。従って、各変調信号間の干渉がなく、確実にそれぞれの信号を復調することができる。
【００９９】
２−３−４ アドレス情報の内容
図２７に、データパート内のＡＤＩＰビットで示されるアドレス情報の内容を示す。１つのアドレスユニット内には、６０（４×１５）個のＡＤＩＰビットが含まれており、データ列が６０ビットの情報内容が示される。６０ビットのアドレス情報は、この図２７に示すように、多層記録をした場合の層番号を示す３ビットのレイヤ情報（Layer）と、ＲＵＢのアドレスを示す１９ビットのＲＵＢ情報（RUB）と、ＲＵＢ内におけるアドレスユニットの番号を示す２ビットのアドレスナンバ情報（Address number/RUB）と、例えば記録パターン等の記録条件が記述されている１２ビットの付加情報（Aux data）と、２４ビットのパリティ情報（Parity）とから構成されている。
【０１００】
２４ビットのパリティは、４ビットを１シンボルとしたいわゆるｎｉｂｂｌｅベースのリードソロモン符号（ＲＳ(15,9,7)）である。具体的には、図２８に示すように、符号長１５nibble、データ９nibble、パリティ６nibbleのエラー訂正符号化が行われる。
【０１０１】
２−４  アドレス復調回路
つぎに、上述したアドレスフォーマットのＤＶＲディスクからアドレス情報を復調するアドレス復調回路について説明をする。
【０１０２】
図２９に、アドレス復調回路のブロック構成図を示す。
【０１０３】
アドレス復調回路３０は、図２９に示すように、ＰＬＬ回路３１と、ＭＳＫ用タイミングジェネレータ３２と、ＭＳＫ用乗算器３３と、ＭＳＫ用積算器３４と、ＭＳＫ用サンプル／ホールド回路３５と、ＭＳＫ用スライス回路３６と、Ｓｙｎｃデコーダ３７と、ＭＳＫアドレスデコーダ３８と、ＨＭＷ用タイミングジェネレータ４２と、ＨＭＷ用乗算器４３と、ＨＭＷ用積算器４４と、ＨＭＷ用サンプル／ホールド回路４５と、ＨＭＷ用スライス回路４６と、ＨＭＷアドレスデコーダ４７とを備えている。
【０１０４】
ＰＬＬ回路３１には、ＤＶＲディスクから再生されたウォブル信号が入力される。ＰＬＬ回路３１は、入力されたウォブル信号からエッジ成分を検出して、基準キャリア信号（Ｃｏｓ(ωｔ)）に同期したウォブルクロックを生成する。生成されたウォブルクロックは、ＭＳＫ用タイミングジェネレータ３２及びＨＭＷタイミングジェネレータ４２に供給される。
【０１０５】
ＭＳＫ用タイミングジェネレータ３２は、入力されたウォブル信号に同期した基準キャリア信号（Ｃｏｓ(ωｔ)）を生成する。また、ＭＳＫ用タイミングジェネレータ３２は、ウォブルクロックから、クリア信号（CLR）及びホールド信号（HOLD）を生成する。クリア信号（CLR）は、ウォブル周期の２周期が最小符号長となる被変調データのデータクロックの開始エッジから、１／２ウォブル周期遅延したタイミングで発生される信号である。また、ホールド信号（HOLD）は、被変調データのデータクロックの終了エッジから、１／２ウォブル周期遅延したタイミングで発生される信号である。ＭＳＫ用タイミングジェネレータ３２により生成された基準キャリア信号（Ｃｏｓ(ωｔ)）は、ＭＳＫ用乗算器３３に供給される。生成されたクリア信号（CLR）は、ＭＳＫ用積算器３４に供給される。生成されたホールド信号（HOLD）は、ＭＳＫ用サンプル／ホールド回路３５に供給される。
【０１０６】
ＭＳＫ用乗算器３３は、入力されたウォブル信号と、基準キャリア信号（Ｃｏｓ(ωｔ)）とを乗算して、同期検波処理を行う。同期検波された出力信号は、ＭＳＫ用積算器３４に供給される。
【０１０７】
ＭＳＫ用積算器３４は、ＭＳＫ用乗算器３３により同期検波された信号に対して積算処理を行う。なお、このＭＳＫ用積算器３４は、ＭＳＫ用タイミングジェネレータ４２により生成されたクリア信号（CLR）の発生タイミングで、その積算値を０にクリアする。
【０１０８】
ＭＳＫ用サンプル／ホールド回路３５は、ＭＳＫ用タイミングジェネレータ３２により生成されたホールド信号（HOLD）の発生タイミングで、ＭＳＫ用積算器３４の積算出力値をサンプルして、次のホールド信号（HOLD）が発生するまで、サンプルした値をホールドする。
【０１０９】
ＭＳＫ用スライス回路３６は、ＭＳＫ用サンプル／ホールド回路３５によりホールドされている値を、原点（０）を閾値として２値化し、その値の符号を反転して出力する。
【０１１０】
そして、このＭＳＫ用スライス回路３６からの出力信号が、ＭＳＫ復調されたデータストリームとなる。
【０１１１】
Ｓｙｎｃデコーダ３７は、ＭＳＫスライス回路３６から出力された復調データのビットパターンから、シンクパート内のシンクビットを検出する。Ｓｙｎｃデコーダ３７は、検出されたシンクビットからアドレスユニットの同期を取る。Ｓｙｎｃデコーダ３７は、このアドレスユニットの同期タイミングに基づき、データパートのＡＤＩＰビット内のＭＳＫ変調されているデータのウォブル位置を示すＭＳＫ検出ウィンドウと、データパートのＡＤＩＰビット内のＨＭＷ変調されているデータのウォブル位置を示すＨＭＷ検出ウィンドウとを生成する。図３０（Ａ）に、シンクビットから検出されたアドレスユニットの同期位置タイミングを示し、図３０（Ｂ）に、ＭＳＫ検出ウィンドウのタイミングを示し、図３０（Ｃ）に、ＨＭＷ検出ウィンドウのタイミングを示す。
【０１１２】
Ｓｙｎｃデコーダ３７は、ＭＳＫ検出ウィンドウをＭＳＫアドレスデコーダ３８に供給し、ＨＭＷ検出ウィンドウをＨＭＷ用タイミングジェネレータ４２に供給する。
【０１１３】
ＭＳＫアドレスデコーダ３８は、ＭＳＫスライス回路３６から出力された復調ストリームが入力され、ＭＳＫ検出ウィンドウに基づき復調されたデータストリームのＡＤＩＰビット内におけるＭＳＫ変調マークMMの挿入位置を検出し、そのＡＤＩＰビットが表している符号内容を判断する。すなわち、ＡＤＩＰビットのＭＳＫ変調マークの挿入パターンが図２４に示すようなパターンである場合にはその符号内容を“１”と判断し、ＡＤＩＰビットのＭＳＫ変調マークの挿入パターンが図２５に示すようなパターンである場合にはその符号内容を“０”と判断する。そして、その判断結果から得られたビット列を、ＭＳＫのアドレス情報として出力する。
【０１１４】
ＨＭＷ用タイミングジェネレータ４２は、ウォブルクロックから、入力されたウォブル信号に同期した２次高調波信号（Ｓｉｎ(２ωｔ)）を生成する。また、ＨＭＷ用タイミングジェネレータ４２は、ＨＭＷ検出ウィンドウから、クリア信号（CLR）及びホールド信号（HOLD）を生成する。クリア信号（CLR）は、ＨＭＷ検出ウィンドウの開始エッジのタイミングで発生される信号である。また、ホールド信号（HOLD）は、ＨＭＷ検出ウィンドウの終了エッジのタイミングで発生される信号である。ＨＭＷ用タイミングジェネレータ４２により生成された２次高調波信号（Ｓｉｎ(２ωｔ)）は、ＨＭＷ用乗算器４３に供給される。生成されたクリア信号（CLR）は、ＨＭＷ用積算器４４に供給される。生成されたホールド信号（HOLD）は、ＨＭＷ用サンプル／ホールド回路４５に供給される。
【０１１５】
ＨＭＷ用乗算器４３は、入力されたウォブル信号と、２次高調波信号（Ｓｉｎ(２ωｔ)）とを乗算して、同期検波処理を行う。同期検波された出力信号は、ＨＭＷ用積算器４４に供給される。
【０１１６】
ＨＭＷ用積算器４４は、ＨＭＷ用乗算器４３により同期検波された信号に対して積算処理を行う。なお、このＨＭＷ用積算器４４は、ＨＭＷ用タイミングジェネレータ４２により生成されたクリア信号（CLR）の発生タイミングで、その積算値を０にクリアする。
【０１１７】
ＨＭＷ用サンプル／ホールド回路４５は、ＨＭＷ用タイミングジェネレータ４２により生成されたホールド信号（HOLD）の発生タイミングで、ＨＭＷ用積算器４４の積算出力値をサンプルして、次のホールド信号（HOLD）が発生するまで、サンプルした値をホールドする。すなわち、ＨＭＷ変調されているデータは、１ビットブロック内に３７ウォブル分あるので、図３０（Ｄ）に示すようにクリア信号(HOLD)がｎ＝０（ｎはウォブル数を示すものとする。）で発生したとすると、ＨＭＷ用サンプル／ホールド回路４５は、図３０（Ｅ）に示すようにｎ＝３６で積算値をサンプルする。
【０１１８】
ＨＭＷ用スライス回路４６は、ＨＭＷ用サンプル／ホールド回路４５によりホールドされている値を、原点（０）を閾値として２値化し、その値の符号を出力する。
【０１１９】
そして、このＨＭＷ用スライス回路４６からの出力信号が、復調されたデータストリームとなる。
【０１２０】
ＨＭＷアドレスデコーダ４７は、復調されたデータストリームから、各ＡＤＩＰビットが表している符号内容を判断する。そして、その判断結果から得られたビット列を、ＨＭＷのアドレス情報として出力する。
【０１２１】
図３１に、符号内容が“１”のＡＤＩＰビットを、上記アドレス復調回路３０でＨＭＷ復調した際の各信号波形を示す。なお、図３１の横軸（ｎ）は、ウォブル周期の周期番号を示している。図３１（Ａ）は、基準キャリア信号（Ｃｏｓ(ωｔ)）と、符号内容が“１”の被変調データと、この被変調データに応じて生成された２次高調波信号波形（Ｓｉｎ(２ωｔ)，−１２ｄＢ）を示している。図３１（Ｂ）は、生成されたウォブル信号を示している。図３１（Ｃ）は、このウォブル信号の同期検波出力信号（ＨＭＷ×Ｓｉｎ(２ωｔ)）と、同期検波出力信号の積算出力値、この積算出力値のホールド値、並びに、スライス回路４６から出力される復調された被変調データを示している。
【０１２２】
図３２に、符号内容が“０”のＡＤＩＰビットを、上記アドレス復調回路３０でＨＭＷ復調した際の各信号波形を示す。なお、図３２の横軸（ｎ）は、ウォブル周期の周期番号を示している。図３２（Ａ）は、基準キャリア信号（Ｃｏｓ(ωｔ)）と、符号内容が“１”の被変調データと、この被変調データに応じて生成された２次高調波信号波形（−Ｓｉｎ(２ωｔ)，−１２ｄＢ）を示している。図３２（Ｂ）は、生成されたウォブル信号を示している。図３２（Ｃ）は、このウォブル信号の同期検波出力信号（ＨＭＷ×Ｓｉｎ(２ωｔ)）と、同期検波出力信号の積算出力値、この積算出力値のホールド値、並びに、スライス回路４６から出力される復調された被変調データを示している。
【０１２３】
以上のようにアドレス復調回路３０では、ＭＳＫ変調で記録されたアドレスユニットの同期情報を検出し、その検出タイミングに基づき、ＭＳＫ復調及びＨＭＷ復調を行うことができる。
【０１２４】
３  光ディスクドライブの構成例
つぎに、以上のようなアドレスフォーマットが適用された相変化型の光ディスクに対してデータの記録及び再生を行う光ディスクドライブの構成例ついて説明する。
【０１２５】
図３３に、光ディスクドライブのブロック構成図を示す。
【０１２６】
光ディスク１は、ターンテーブルに積載され、記録／再生動作時にスピンドルモータ４１によって一定線速度（ＣＬＶ）で回転駆動される。
【０１２７】
光学ヘッド４２は、レーザ光源となるレーザダイオード、反射光を検出するためのフォトディテクタ、レーザ光をディスク上に集光する対物レンズ、対物レンズをトラッキング方向及びフォーカス方向に移動可能に保持する二軸機構等を備えている。
【０１２８】
マトリクス回路４３は、光学ヘッド４２のフォトディテクタにより検出された信号から、再生信号，フォーカスエラー信号，トラッキングエラー信号，ウォブル信号（プッシュプル信号）等を生成する。
【０１２９】
レーザドライバ４４は、光学ヘッド４２内のレーザダイオードを発光駆動する。
【０１３０】
サーボ回路４５は、マトリクス回路４３により検出されたフォーカスエラー信号、トラッキングエラー信号及びスレッドエラー信号に基づき、フォーカスサーボ制御、トラッキングサーボ制御、スレッドサーボ制御を行う。
【０１３１】
スピンドル回路４６は、スピンドルモータ４１を回転駆動する。
【０１３２】
リードライト（ＲＷ）回路４７は、記録時には記録データの記録補償を行い、再生時に再生信号からクロックを生成し、そのデータクロックに基づき再生信号を二値化して再生データを生成する。
【０１３３】
変復調回路４８は、記録再生データに対して、ランレングスリミテッド変復調等の変復調処理を行う。
【０１３４】
ＥＣＣエンコーダ／デコーダ４９は、記録再生データに対してＥＣＣエンコード又はＥＣＣデコード処理を行う。
【０１３５】
クロック生成部５０は、ウォブル信号からクロックタイミング信号を生成し、リード／ライト回路４７、ウォブル復調回路５１、アドレスデコーダ５２等に供給する。
【０１３６】
ウォブル復調回路５１は、ウォブル信号に変調されている被変調データを復調する。アドレスデコーダ５２は、ウォブル復調回路５１の復調データから、光ディスク１のアドレス情報を復号する。ウォブル復調回路５１及びアドレスデコーダ５２は、例えば上記図２９で示した構成となる。
【０１３７】
システムコントローラ５３は、本光ディスクドライブ５０を構成する各部を制御する。
【０１３８】
以上のような光ディスクドライブ５０では、例えばＡＶシステム５５との間で、記録再生データ及び制御コマンドが通信される。
【０１３９】
このような光ディスクドライブ５０は、記録時には、記録コマンドと、例えばＭＰＥＧ２の画像ビットストリーム等の記録データが、ＡＶシステム５５から転送される。ＡＶシステム５５から転送されてきた記録データは、ＥＣＣエンコーダ／デコーダ４９によりＥＣＣブロック化されたのち、変復調回路４８により記録用のデータ変調が施される。システムコントローラ５３は、アドレスデコーダ５２から現在のアドレス情報を取得し、このアドレス情報に基づき光ディスク１に対する記録位置を所望のアドレスに移動させる。そして、リードライト回路４７は、記録用データに対して記録補償を行い、タイミング生成部５０により生成されたクロックタイミングでレーザドライバ４４を駆動して、光ディスク１に対してデータの記録を行う。
【０１４０】
また、光ディスクドライブ５０は、再生時には、ＡＶシステム５５から再生コマンドが転送される。システムコントローラ５３は、アドレスデコーダ５２から現在のアドレス情報を取得し、このアドレス情報に基づき光ディスク１に対する再生位置を所望のアドレスに移動させる。当該アドレスから再生された信号は、リードライト回路４７で再生信号を二値化し、変復調回路４８で復調がされる。そして、ＥＣＣエンコーダ／デコーダ４９は、復調データに対してエラー訂正処理を行って得られたＭＰＥＧ２の画像ビットストリームを、ＡＶシステム５５に転送する。
【０１４１】
４  光ディスクの製造方法
つぎに、以上のようなアドレスフォーマットが適用された光ディスクを製造する製造方法について説明する。
【０１４２】
光ディスクの製造プロセスは、大別すると、いわゆる原盤工程（マスタリングプロセス）と、ディスク化工程（レプリケーションプロセス）に分けられる。原盤工程はディスク化工程で用いる金属原盤（スタンパ）を完成するまでのプロセスであり、ディスク化工程はスタンパを用いて、その複製である光ディスクを大量生産するプロセスである。
【０１４３】
原盤工程では、例えば、研磨した硝子基板にフォトレジストを塗布し、この感光膜にレーザビームによる露光によってピットやグルーブを形成するカッティングが行われる。カッティングでは、ディスクの最内周側のエンボスエリアに相当する部分にピットを形成するピットカッティングと、グルーブが形成されるエリアに相当する部分にウォブリンググルーブを形成するウォブルカッティングとが行われる。カッティングが終了すると、現像等の所定の処理を行なった後、例えば電鋳によって金属表面上への情報の転送を行ない、ディスクの複製を行なう際に必要なスタンパを作成する。
【０１４４】
図３４に、光ディスク原盤に対してウォブルカッティングを行うカッティング装置の構成図を示す。
【０１４５】
カッティング装置６０は、フォトレジストされた基板６１に対してレーザビームを照射してカッティングを行なう光学部６２と、基板６１を回転駆動する回転駆動部６３と、入力データを記録信号に変換するとともに光学部６２及び回転駆動部６３を制御する信号処理部６４とから構成される。
【０１４６】
光学部６２には、例えばＨｅ−Ｃｄレーザ等のレーザ光源７１と、光変調器７２と等が備えられている。光学部６２は、信号処理部６４により生成されたウォブル信号ストリームに応じてレーザ光源７１から出射されたレーザビームを蛇行させながら、プリグルーブのカッティングを行う。
【０１４７】
回転駆動部６３は、プリグルーブが内周側からスパイラル状に形成されるように、基板６１を回転駆動するとともに基板６１を半径方向に移動制御する。
【０１４８】
信号処理部６４は、例えば、アドレスジェネレータ７３と、ＭＳＫ変調器７４と、ＨＭＷ変調器７５と、加算器７６と、基準クロック発生器７７とを備えている。
【０１４９】
アドレスジェネレータ７３は、光ディスクのプリグルーブに対してＭＳＫ変調するアドレス情報と、光ディスクのプリグルーブに対してＨＭＷ変調するアドレス情報とを発生して、ＭＳＫ変調器７４及びＨＭＷ変調器７５に供給する。
【０１５０】
ＭＳＫ変調器７４は、基準クロック発生器７７から発生された基準クロックに基づき、Ｃｏｓ(ωt)とＣｏｓ(１．５ωt)との２つの周波数を生成する。ＭＳＫ変調器７４は、さらに、アドレス情報から、この基準クロックに同期した被変調データが所定のタイミング位置に含まれたデータストリームを生成する。そして、ＭＳＫ変調器７４は、例えばＣｏｓ(ωt)とＣｏｓ(１．５ωt)との２つの周波数で上記データストリームをＭＳＫ変調し、ＭＳＫ変調信号を生成する。なお、ＭＳＫ変調器７４は、ＭＳＫ変調でアドレス情報が変調されない位置では、波形がＣｏｓ(ωｔ)とされた信号（モノトーンウォブル）を発生する。
【０１５１】
ＨＭＷ変調器７５は、基準クロック発生器７７から発生された基準クロックに基づき、上記ＭＳＫ変調器７４から発生されるＣｏｓ(ωｔ)と同期した２次高調波信号（±Ｓｉｎ(２ωｔ)）を発生する。ＨＭＷ変調器７５は、ＨＭＷ変調でアドレス情報を記録するタイミング（このタイミングは、上記ＭＳＫ変調がされていないモノトーンウォブルとなっているタイミングとする。）で、上記２次高調波信号を出力する。このとき、ＨＭＷ変調器７５は、入力されたアドレス情報のデジタル符号に応じて、＋Ｓｉｎ(２ωｔ)と、−Ｓｉｎ(２ωｔ)とを切り換えながら出力する。
【０１５２】
加算器７６は、ＭＳＫ変調器７４から出力されたＭＳＫ変調信号に対して、ＨＭＷ変調器７５から出力された２次高調波信号を加算する。
【０１５３】
この加算器７６から出力された信号が、ウォブル信号ストリームとして、光学部６２に供給される。
【０１５４】
以上のようにカッティング装置６０では、ＭＳＫ変調とＨＭＷ変調の２つの変調方式を用いてアドレス情報を変調したウォブルを光ディスクに記録することができる。
【０１５５】
また、本カッティング装置６０では、ＭＳＫ変調方式で用いられる一方の周波数と、ＨＭＷ変調で用いられるキャリア周波数とを同一の周波数の正弦波信号（Ｃｏｓ(ωｔ)）としている。また、さらに、ウォブル信号内に、なんらデータが変調されていない上記のキャリア信号（Ｃｏｓ(ωｔ)）のみが含まれているモノトーンウォブルを、各変調信号の間に設けている。
【０１５６】
また、本カッティング装置６０では、ＭＳＫ変調方式で用いられる一方の周波数と、ＨＭＷ変調で用いられるキャリア周波数とを同一の周波数の正弦波信号（Ｃｏｓ(ωｔ)）とし、さらに、ＭＳＫ変調とＨＭＷ変調とをウォブル信号内の異なる部分に行い、ＭＳＫ変調した後の信号に対して、ＨＭＷ変調する位置に高調波信号を加算することにより、変調信号を生成している。そのため、１つのストリームに非常に簡単に２つの変調を行うことが可能である。
【０１５７】
【発明の効果】
本発明にかかるディスク状記録媒体では、記録トラックのウォブル信号に、所定周波数の第１の正弦波信号とこの第１の正弦波信号の周波数とは異なる周波数の第２の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれている。
【０１５８】
このことにより本発明のディスク状記録媒体では、アドレス等の情報を効率よくウォブル成分に含め、さらに、ウォブル成分に含めた情報を再生する際のＳ／Ｎを向上させることができる。
【０１５９】
本発明にかかるディスクドライブ装置では、上記ディスク状記録媒体から上記ウォブル信号を復調するウォブル情報復調手段が、所定周波数の第１の正弦波信号と第１の正弦波信号の周波数と異なる周波数の正弦波信号とによってＭＳＫ変調された第１のデジタル情報を復調する第２の復調部と、正弦波のキャリア信号に対して偶数次の高調波信号を付加し、当該高調波信号の極性を変化させることによって変調（ＨＭＷ変調）された第２のデジタル情報を復調する第２の復調部とを有している。
【０１６０】
このことにより本発明にかかるディスクドライブ装置では、アドレス等の情報を効率よくウォブル成分に含めた上記ディスク状記録媒体から、ウォブル信号をＳ／Ｎよく復調することができる。
【０１６１】
本発明にかかるディスク製造装置及び方法では、所定周波数の第１の正弦波信号と第１の正弦波信号の周波数と異なる周波数の正弦波信号とによってＭＳＫ変調された第１のデジタル情報と、正弦波のキャリア信号に対して偶数次の高調波信号を付加し、当該高調波信号の極性を変化させることによって変調（ＨＭＷ変調）された第２のデジタル情報とが含まれているウォブル信号に応じて、ディスク状記録媒体のランド及び／又はグルーブを蛇行形成する。
【０１６２】
このことにより本発明のディスク製造装置では、アドレス等の情報を効率よくウォブル成分に含め、さらに、ウォブル成分に含めた情報を再生する際のＳ／Ｎを向上させたディスク状記録媒体を製造することができる。
【図面の簡単な説明】
【図１】本発明の実施の形態の光ディスクのトラック形状を示す図である。
【図２】グルーブの蛇行形成状態を示す図である。
【図３】ＭＳＫ変調及びＨＭＷ変調を施したウォブル信号を示す図である。
【図４】ＭＳＫ変調について説明をするための図である。
【図５】ＭＳＫ変調されたウォブル信号を復調するＭＳＫ復調回路を示す図である。
【図６】入力されたウォブル信号（ＭＳＫストリーム）と、このウォブル信号の同期検波出力信号（ＭＳＫ×Ｃｏｓ(ωｔ)）を示す図である。
【図７】ＭＳＫストリームの同期検波出力信号の積算出力値、この積算出力値のホールド値、並びに、ＭＳＫ復調された被変調データを示す図である。
【図８】ＨＭＷ変調について説明をするための図である。
【図９】ＨＭＷ変調されたウォブル信号を復調するＨＭＷ復調回路を示す図である。
【図１０】基準キャリア信号（Ｃｏｓ(ωｔ)）と、“１０１０”というデータ列の被変調データと、この被変調データに応じて生成された２次高調波信号波形（±Ｓｉｎ(２ωｔ)，−１２ｄＢ）を示す図である。
【図１１】生成されたウォブル信号（ＨＭＷストリーム）を示す図である。
【図１２】ＨＭＷストリームの同期検波出力信号（ＨＭＷ×Ｓｉｎ(２ωｔ)）と、同期検波出力信号の積算出力値、この積算出力値のホールド値、並びに、ＨＭＷ復調された被変調データを示す図である。
【図１３】本発明が適用されるＤＶＲディスクのエラー訂正ブロックを示す図である。
【図１４】上記ＤＶＲディスクのＥＣＣクラスタを示す図である。
【図１５】上記ＤＶＲディスクの記録再生クラスタ（ＲＵＢ）とアドレスユニットとの関係を示す図である。
【図１６】上記アドレスユニットを構成するビットブロックを示す図である。
【図１７】上記アドレスユニット内のシンクパートのビット構成を示す図である。
【図１８】上記シンクパート内のモノトーンビットの信号波形と被変調データを示す図である。
【図１９】上記シンクパート内の第１のシンクビットの信号波形と被変調データを示す図である。
【図２０】上記シンクパート内の第２のシンクビットの信号波形と被変調データを示す図である。
【図２１】上記シンクパート内の第３のシンクビットの信号波形と被変調データを示す図である。
【図２２】上記シンクパート内の第４のシンクビットの信号波形と被変調データを示す図である。
【図２３】上記アドレスユニット内のデータパートのビット構成を示す図である。
【図２４】上記データパート内のビット“１”を表すＡＤＩＰビットの信号波形と被変調データを示す図である。
【図２５】上記データパート内のビット“０”を表すＡＤＩＰビットの信号波形と被変調データを示す図である。
【図２６】上記アドレスユニットのフォーマットの全体構成を示す図である。
【図２７】上記ＡＤＩＰビットが表しているアドレス情報の内容を示す図である。
【図２８】上記アドレス情報のエラー訂正ブロックを示す図である。
【図２９】上記ＤＶＲディスクのアドレス復調回路を示す図である。
【図３０】上記アドレス復調回路の制御タイミングを示す図である。
【図３１】符号内容が“１”のＡＤＩＰビットを、上記アドレス復調回路でＨＭＷ復調した際の各信号波形を示す図である。
【図３２】符号内容が“１”のＡＤＩＰビットを、上記アドレス復調回路でＨＭＷ復調した際の各信号波形を示す図である。
【図３３】本発明が適用される光ディスクドライブのブロック構成を示す図である。
【図３４】本発明が適用される光ディスク原盤のカッティング装置の構成を示す図である。
【符号の説明】
１  光ディスク、１０  ＭＳＫ復調回路、２０  ＨＭＷ復調回路、３０  アドレス復調回路、５０  光ディスクドライブ、６０  カッティング装置
【図１】
0004121265.tif 000002
【図２】
0004121265.tif 000003
【図３】
0004121265.tif 000004
【図４】
0004121265.tif 000005
【図５】
0004121265.tif 000006
【図６】
0004121265.tif 000007
【図７】
0004121265.tif 000008
【図８】
0004121265.tif 000009
【図９】
0004121265.tif 000010
【図１０】
0004121265.tif 000011
【図１１】
0004121265.tif 000012
【図１２】
0004121265.tif 000013
【図１３】
0004121265.tif 000014
【図１４】
0004121265.tif 000015
【図１５】
0004121265.tif 000016
【図１６】
0004121265.tif 000017
【図１７】
0004121265.tif 000018
【図１８】
0004121265.tif 000019
【図１９】
0004121265.tif 000020
【図２０】
0004121265.tif 000021
【図２１】
0004121265.tif 000022
【図２２】
0004121265.tif 000023
【図２３】
0004121265.tif 000024
【図２４】
0004121265.tif 000025
【図２５】
0004121265.tif 000026
【図２６】
0004121265.tif 000027
【図２７】
0004121265.tif 000028
【図２８】
0004121265.tif 000029
【図２９】
0004121265.tif 000030
【図３０】
0004121265.tif 000031
【図３１】
0004121265.tif 000032
【図３２】
0004121265.tif 000033
【図３３】
0004121265.tif 000034
【図３４】
0004121265.tif 000035